(57)【特許請求の範囲】
【請求項１】
他のマウント部と着脱自在に係合するマウント部と、
前記マウント部に設けられた電気接点部材と、
前記電気接点部材と電気部品とを結ぶ配線部材とを含み、
前記マウント部は、
前記電気接点部材を保持する保持部と、
前記マウント部に形成され、このマウント部の内側から前記電気接点部材を導入可能な導入口と、
前記導入口から導入された前記電気接点部材を前記保持部へ案内する案内部とを含むこと、
を特徴とするマウント部の電気接点保持構造。
【請求項２】
他のマウント部と着脱自在に係合するマウント部と、
前記マウント部と係合する本体とを備え、
前記マウント部は、
前記電気接点部材を保持する保持部と、
前記マウント部の内側から前記電気接点部材を導入可能な導入口と、
前記導入口から導入された前記電気接点部材を前記保持部へ案内する案内部とを含み、
前記本体は、
本体側に設けられた電気部品と、
前記電気部品と前記電気接点部材とを結ぶ配線部材と、
前記本体を前記マウント部に係合するときに、前記電気接点部材を前記導入口に押し出す押出部とを含むこと、
を特徴とするマウント部の電気接点保持構造。
【請求項３】
請求項２に記載されたマウント部の電気接点保持構造において、
前記押出部は、前記電気接点部材を前記保持部において固定する支持部を備えること、
を特徴とするマウント部の電気接点保持構造。
【請求項４】
請求項１から請求項３までのいずれか１項に記載のマウント部の電気接点保持構造の製造方法において、
前記マウント部を前記本体に係合する動作により、前記押出部は、前記電気接点部材を押し出しながら、前記導入口へ導入し、この電気接点部材を前記案内部により案内しつつ、前記保持部に保持させること、
を特徴とするマウント部の電気接点保持構造の製造方法。
【請求項５】
請求項４に記載のマウント部の電気接点保持構造の製造方法において、
前記マウント部と前記本体とが係合したときに、前記支持部により前記電気接点部材を保持部に固定すること、
を特徴とするマウント部の電気接点保持構造の製造方法。
【発明の詳細な説明】
【０００１】
【発明の属する技術分野】
本発明は、カメラボディなどに形成されたカメラボディ側マウント部に対して、着脱自在に係合する交換レンズ側マウント部の電気接点保持構造とその製造方法に関するものである。
【０００２】
【従来の技術】
図４は、従来のマウント部の電気接点保持構造の電気接点回りの外観図である。図５は、図４の断面図である。
レンズ鏡筒ｌ００は、固定筒１０８と、この固定筒ｌ０８の外周部に回転可能に嵌合し、絞り制御を行うための絞り環１０４と、この固定筒１０８の外周部に取り付けられた外筒１０５と、この固定筒１０８に取り付けられたマウント部１０１と、このマウント部１０１に２本（図１中１本のみ図示）の固定ビス１０６により取り付けられた後述する電気接点部材１０２と、マウント部１０１に３本（図１中１本のみ図示）のビス１０９により取り付けられた後述するフランジ部材１０７とを備えている。
【０００３】
電気接点部材１０２は、５本の接点ピンｌ０２ｃと、この接点ピンｌ０２ｃに接続されたフレキシブルプリント基板１１０と、この接点ピン１０２ｃとフレキシブルプリント基板１１０の一部とを収納する下側受け部材１０２ａ及び上側蓋部材１０２ｂとにより構成されている。
フランジ部材１０７は、レンズ側の固有の情報、例えば、焦点距離などを、このフランジ部の円周方向に形成された凹凸の機械的伝達部により、カメラボディ側に伝達するとともに、レンズ鏡筒１００の漏光を防ぐための遮光部材である。このフランジ部材１０７の外周部には、その円周方向に沿って所定の角度範囲にわたり切欠部が形成されており、この切欠部には、電気接点部材ｌ０２が収納されている。
【０００４】
【発明が解決しようとする課題】
しかし、前述した従来のレンズ鏡筒は、電気接点部材１０２を取り付け収納するためのマウント部１０１とフランジ部材１０７が別部材であるために、これらの部品点数の増加は、レンズ鏡筒１０１のコストアップの原因となっていた。
また、従来のレンズ鏡筒１０１に電気接点部材１０２を取り付けるときには、マウント部１０１側に電気接点部材１０２を引き出す工程と、マウント部１０１にフランジ部材ｌ０７を固定ビス１０６により取り付ける工程と、マウント部１０１に電気接点部材１０２をビス１０９により取り付ける工程とが必要であった。これらの組立工程数の増加は、コストアップを招いていた。
【０００５】
本発明の課題は、部品点数と組立工程を増加させずに、マウント部に電気接点を簡単に取り付けることができるマウント部の電気接点保持構造とその製造方法を提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。
すなわち、請求項１の発明は、他のマウント部と着脱自在に係合するマウント部（１）と、前記マウント部に設けられた電気接点部材（２２）と、前記電気接点部材と電気部品とを結ぶ配線部材（２５）とを含み、前記マウント部は、前記電気接点部材を保持する保持部（ｌｃ）と、前記マウント部に形成され、このマウント部の内側から前記電気接点部材を導入可能な導入口（ｌｆ）と、前記導入口から導入された前記電気接点部材を前記保持部へ案内する案内部（ｌｅ）とを含むことを特徴としている。
【０００７】
請求項２の発明は、他のマウント部と着脱自在に係合するマウント部と、前記マウント部と係合する本体（２）とを備え、前記マウント部は、前記電気接点部材を保持する保持部と、前記マウント部の内側から前記電気接点部材を導人可能な導人口と、前記導入口から導人された前記電気接点部材を前記保持部へ案内する案内部とを含み、前記本体は、本体側に設けられた電気部品と、前記電気部品と前記電気接点部材とを結ぶ配線部材と、前記本体を前記マウント部に係合するときに、前記電気接点部材を前記導入口に押し出す押出部（２ｄ）とを含むことを特徴とする。
【０００８】
請求項３の発明は、請求項２に記載されたマウント部の電気接点保持構造において、前記押出部は、前記電気接点部材を前記保持部において固定する支持部（２ｅ）を備えることを特徴とする。
【０００９】
請求項４の発明は、請求項１から請求項３までのいずれか１項に記載のマウント部の電気接点保持構造の製造方法において、前記マウント部を前記本体に係合する動作により、前記押出部は、前記電気接点部材を押し出しながら、前記導入口へ導入し、この電気接点部材を前記案内部により案内しつつ、前記保持部に保持させることを特徴とする。
【００１０】
請求項５の発明は、請求項４に記載のマウント部の電気接点保持構造の製造方法において、前記マウント部と前記本体とが係合したときに、前記支持部により前記電気接点部材を保持部に固定することを特徴とする。
【００１１】
【発明の実施の形態】
（第１実施形態）
以下、図面を参照して、本発明の実施形態についてさらに詳しく説明する。
図１は、本発明の実施形態に係るマウント部の電気接点保持構造を備えたレンズ鏡筒の断面図である。図２は、同レンズ鏡筒のマウント部の平面図である。なお、図２においては、マウント部から電気接点部材を取り除いた状態を示している。
【００１２】
固定マウント１は、図示しないカメラボディ側の雌マウントに装着するための雄側のマウント部である。この固定マウント１は、遮光用の内筒部１ａと、この内筒部１ａと一体的に形成された外筒部１ｂとから構成されている。内筒部１ａには、この外周部に形成され、カメラボディ側のバヨネット部と係合するマウント側バヨネット部１ｈと、後述する空間部１ｆ，保持穴１ｄ，開口部１ｉ，傾斜面１ｅとが形成されている。外筒部１ｂには、後述する固定筒２の外径部２ａと嵌め込み、固定するための内径部１ｇが形成されている。
【００１３】
空間部１ｆは、固定マウント部１の内周部側から後述する電気接点部材２２を保持穴１ｃに導入するための空間である。空間部ｌｆは、電気接点部材２２を容易に導入可能な程度の大きさであり、内筒部１ａと外筒部１ｂとの間において、略コ字形の袋状に形成されている。
【００１４】
保持穴１ｃは、電気接点部材２２を保持するための穴である。保持穴１ｃは、この保持穴１ｃの底部が空間部ｌｆと連通するように、空間部１ｆから光軸Ｉと略直交する方向（ラジアル方向）に形成されており、電気接点部材２２を嵌め込むように収納している。
【００１５】
傾斜面ｌｅは、空間部１ｆから導入された電気接点部材２２を保持穴ｌｃへ案内するための部分である。傾斜面１ｅは、空間部１ｆと保持穴１ｃとの間において、内筒部１ａの外周部ｌｄから保持穴１ｃへと延びている。傾斜面１ｅは、開口部１ｉの下方に形成されており、図２に示すように、光軸Ｉに対して斜め放射状に計３ヶ所形成されている。
【００１６】
開口部１ｉは、保持穴１ｃにより保持された電気接点部材２２の接点ピン２１が突出するための部分である。開口部１ｉは、接点ピン２１が突出可能な程度の大きさに、内筒部１ａの外周部を切り欠くように形成されている。
【００１７】
固定筒２は、固定マウント１と一体に設けられた固定部分である。固定筒２の内周部には、この内周部から突出した３ヶ所の直進キー部分２ｂと、後述する押出部２ｄとが形成されている。固定筒２の外周部には、固定マウント１を固定するとともに、後述するズーム目盛環３の内径部３ａと回転摺動が可能なように嵌め込まれた外径部２ａと、ブラシ取付環７の内周部と回転摺動が可能なように嵌め込まれた段付き嵌合部２ｃとが形成されている。
【００１８】
押出部２ｄは、固定筒２にマウント１を嵌め込み、係合するときに、電気接点部材２２を空間部１ｆへ押し出すための部分である。押出部２ｄは、固定筒２の内周部から突出し、先端が光軸Ｉ方向に折り曲げられている。
【００１９】
支持部２ｅは、保持穴１ｃに保持された電気接点部材２２の押出部２ｄ側の端部を固定するための部分である。支持部２ｅは、押出部２ｄの一部に形成され、電気接点部材２２の押出部２ｄ側の端面と接触している。
【００２０】
ズーム操作環５は、光軸周りに回転させることによってズーミングを行うためのものである。ズーム操作環５の外周部には、このズーム操作環５、後述するズーム目盛環３及び雌へリコイド環４を一体的に固定するために、これらの外周部に図示しないテープが貼られており、このテープ上を覆うゴムリング６と、後述する雌へリコイド環４の段付き内径部４ｂを回転自在に嵌め込むための段付き径部５ａが形成されている。
【００２１】
ズーム目盛環３は、ズーミングを行うための焦点距離などを表示した部材である。ズーム目盛環３の内周部には、この内周部から突出した内径部３ａと、雌へリコイド環４の段付き外径部４ａを嵌め込み、ズーミングの範囲をカバーする角度範囲で回転摺動が可能な段付き内径部３ｂとが形成されている。また、ズーム目盛環３の内周面には、段付き内径部３ｂの一部にビス１９により取り付けられ、光軸Ｉから離れる方向に突出したズームエンコーダ用ブラシ２０を備えたズームエンコーダ用ブラシ取付板１８が設けられている。
【００２２】
カム筒９は、後述するピン８ｂとカムフォロワ１２ａとに駆動力を付与するための部材である。カム筒９は、外筒部９ａと、内筒部９ｃと、外筒部９ａと内筒部９ｃとを一体的に連結する連結部９ｄとから構成されている。
外筒部９ａの外周部には、雌へリコイド環４の雌へリコイドネジ部と噛み合う雄へリコイドネジ部９ｂが形成されており、外筒部９ａの内周部には、内周面から突出した連結部９ｄが形成されている。内筒部９ｃの外周部には、この外周部から突出した凸カム９ｅと、外筒部９ａを保持するための連結部９ｄとが形成されている。内筒部９ｃの内周部には、後述する第２のレンズ群Ｌ２の移動を制御する凹状のカム溝９ｇが形成されている。
【００２３】
雄へリコイド部材８は、第１のレンズ群Ｌｌ側の外周部に雄へリコイドネジ部８ｃを形成した部材である。雄へリコイド部材８の内周部には、この内周部から突出し、凸カム９ｅと摺動自在に係合する６本のピン８ｂが形成されている。このピン８ｂは、光軸Ｉ方向に２本一対で配列されており、一対の凸カム９ｅ問に摺動自在に挟み込まれている。雄へリコイド部材８の外周部には、第２のレンズ群Ｌ２側の端部からこの雄へリコイド部材８の略中央付近まで、直進キー部分２ｂと摺動自在に係合する直進案内溝８ｆが形成されている。この直進案内溝８ｆは、光軸Ｉ方向に沿って形成された３本の等分角度の直進溝である。
【００２４】
フィルタ環１０は、マニュアルフォーカスを行うときに、第１のレンズ群Ｌｌを手動操作により回転するとともに、着脱自在のフィルタを取り付けるための部材である。フィルタ環１０には、ブラシ取付環７のキー突起部７ａと係合する袋状のキー溝部１０ｂが、第２のレンズ群Ｌ１の端部から光軸Ｉ方向に沿って形成されている。フィルタ環１０の内周部には、雄へリコイド部材８の雄へリコイドネジ部８ｃと噛み合う雌へリコイドネジ部ｌ０ａと、フィルタ雌ネジ部１０ｄとが形成されている。フィルタ環１０の外周部には、マニュアルフォーカスのためのローレットｌ０ｃが先端に設けられている。
【００２５】
レンズ保持部材１１は、第１のレンズ群Ｌ１を保持するための部材である。
レンズ保持部材１１には、第１のレンズ群Ｌｌを固定するための押さえ環１３と、フィルタ雌ネジ部１０ｄと噛み合うフィルタ雄ネジ部１１ａとが形成されている。
【００２６】
ブラシ取付環７は、距離エンコーダ用ブラシ１７を取り付けるための部材である。ブラシ取付環７には、キー溝部１０ｂと摺動自在に係合する２本の等分角度のキー突起部７ａが形成されている。
【００２７】
フレキシブルプリント基板２５は、可撓性を備え折り曲げ可能なプリント配線部材である。フレキシブルプリント基板２５は、カメラボディ側と交換レンズ側との間で信号の伝達を行ったり、カメラボディ側の電源が供給される図示しない中央処理装置（ＣＰＵ）などの電気部品と部組を構成している。フレキシブルプリント基板２５には、電気接点部材２２と、距離エンコーダ用ブラシ１７と、ズームエンコーダ用ブラシ２０とが接続されている。フレキシブルプリント基板２５は、固定筒２に沿って光軸Ｉ方向に延び、押出部２ｄに沿って保持穴ｌｃまで設けられており、固定筒２の段付き嵌合部２ｃとマウント部１側の内径部に貼り付けられている。
【００２８】
電気接点部材２２は、カメラボディ側に設けられた電気接点と接続するレンズ側の電気接点を収納するための部材である。電気接点部材２２は、フレキシブルプリント基板２５に接続され、カメラボディ側の電気接点と接触する接点ピン２１と、このフレキシブルプリント基板２５と接点ピン２１とを収納する下側受け部２３と上側ハウジング２２とから構成されている。電気接点部材２２は、ビス２４により固定マウント１の内径部ｌａに取り付けられている。
【００２９】
レンズ保持部材１２は、第２群レンズＬ２を保持するための部材である。保持部材１２の外周部には、カム溝９ｇと係合する帯状のカムフォロワ１２ａと、この保持部材１２の２ヶ所を切り欠き、図示しないビスにより固定筒２に取り付けられた直進案内キー部材２６と係合するキー溝部１２ｂとが形成されている。保持部材１２の内周部には、第２のレンズ群Ｌ２を固定するための押さえ環１４が取り付けられている。
【００３０】
次に、本発明の実施形態に係るマウント部の電気接点保持構造を備えたレンズ鏡筒の動作をズーミング動作とフォーカシング動作とに分けて説明する。
（ズーミング動作）
ズーム操作環５が光軸Ｉ回りに回転すると、ズーム操作環５と一体の雌へリコイド環４も回転する。この雌へリコイド環４の雌へリコイドネジ部と噛み合う雄へリコイドネジ部９ｂが形成されたカム筒９は、ズーム操作環５と一体となって光軸回りに回転し、このカム筒５に形成された凸カム９ｅも光軸回りに回転する。凸カム９ｅは、ピン８ｂに挟まれるように係合しており、ピン８ｂが形成された雄へリコイド部材８は、カム筒５の回転により光軸Ｉ回りに回転しようとする。しかし、雄へリコイド部材８の直進溝８ｆは、固定筒２の直進キー部分２ｂと係合しているために、雄へリコイド部材８は、光軸Ｉ回りの回転が規制され、光軸Ｉ方向に前後移動する。その結果、雄へリコイドネジ部８ｃと噛み合う雌へリコイドネジ部１０ａが形成されたフィルタ環１０は、このフィルタ雌ネジ部１０ｄと噛み合うフィルタ雄ネジ部１ｌａが形成されたレンズ保持部材１１と一体となって移動する。そして、レンズ保持部材１１に固定された第１のレンズ群Ｌｌは、光軸Ｉ方向にズーミング移動する。
一方、レンズ保持部材１２のカムフォロワ１２ａは、カム筒９のカム溝９ｇに係合しているために、レンズ保持部材１２は、カム筒９の回転による駆動力を受ける。レンズ保持部材１２のキー溝部１２ｂは、直進案内キー部材２６と係合しているために、レンズ保持部材１２は、直進案内キー部材２６により案内されながら、第２のレンズ群Ｌ２と一体となって光軸Ｉ方向にズーミング移動する。
【００３１】
（フォーカシング動作）
雄へリコイド部材８の直進案内溝８ｆは、固定筒２の直進キー部分２ｂと係合しているために、雄へリコイド部材８は、光軸Ｉ回りに回転できず、光軸Ｉ方向の移動のみが許容されている。フィルタ環１０が回転すると、このフィルタ環１０は、雄へリコイド部材８の雄へリコイドネジ部８ｃと雌へリコイドネジ部１０ａが噛み合いながら回転し、光軸Ｉ方向に移動する。その結果、合焦レンズ群でもある第１のレンズ群Ｌｌを取り付けたレンズ保持部材１１は、フィルタ環１０とともに光軸Ｉ方向に移動し、合焦動作を行う。
ブラシ操作環７は、固定筒２の案内溝２ｂにより光軸Ｉ回りの回転のみ可能に拘束されており、ブラシ操作環７のキー突起部７ａは、フィルタ環１０のキー溝部１０ｂと係合しているために、ブラシ操作環７は、フィルタ環１０の回転と連動して回転する。
【００３２】
（電気接点部材の取付方法）
次に、本発明の実施形態に係るマウント部の電気接点保持構造への電気接点部材の取付方法を説明する。
図３は、本発明の実施形態に係るマウント部の電気接点保持構造に電気接点部材を取り付けるときの取付方法を説明する図である。
フレキシブルプリント基板２５は、固定筒２に貼り付けられているが、電気接点部材２２が接続された側の一部は、図３に示すように、固定筒２に貼り付けられておらず、固定筒２に対して不安定なフリーな状態である。外筒部１ｂの内径部１ｇに固定筒２の外径部２ａを嵌め込み、マウント部１と固定筒２とを係合するときには、マウント部１の内周部に形成された空間部ｌｆに電気接点部材２２を位置づけるようにする。固定筒２をマウント部１へ向けて移動すると、押出部２ｄは、電気接点部材２２を空間部１ｆへ向けて押し出す。案内部ｌｅは、押出部２ｄにより押し出されつつある電気接点部材２２を図中矢印方向に案内し、この電気接点部材２２を保持穴１ｃへ導く。マウント部１と固定筒２とが完全に係合すると、電気接点部材２２は、保持穴ｌｃ内に収納され、接点ピン２１は、開口部１ｉから突出する。電気接点部材２２の固定筒２側の端部は、押出部２ｄに形成された支持部２ｅにより固定され、電気接点部材２２は、ビス２４によりマウント部１に完全に固定される。
【００３３】
本発明の実施形態に係るマウント部の電気接点保持構造は、マウント部１を構成する内筒部１ａと外筒部１ｂとが一体部品であり、図４及び図５に示す従来のマウント部の電気接点保持構造のように、マウント部１０１とフランジ部材１０７とが別部材ではない。したがって、部品点数の低下と、レンズ鏡筒１０１のコストダウンを図ることができる。
また、電気接点部材２２をマウント部１に簡単に取り付けることができるために、従来のマウント部の電気接点保持構造のように、マウント部１０１にフランジ部材１０７を固定ビス１０６により取り付ける工程が不要となる。したがって、組立工程数の低下と、コストダウンを図ることができる。
さらに、傾斜面１ｅは、図２に示すように、光軸Ｉに対して斜め放射状に計３ヶ所形成されているために、電気接点部材２２が空間部ｌｆに傾いたり、ずれて導入されても、傾斜部ｌｅにより保持部１ｃへ確実に案内することができる。
【００３４】
（他の実施形態）
以上説明した実施形態に限定されることはなく、本発明の技術思想によれば、種々の変形又は変更が可能であり、それらも本発明の均等の範囲内である。
例えば、カメラボディ側マウント部と着脱自在に係合する交換レンズ側マウント部の電気接点保持構造に限定されるものではなく、例えば、カメラボディ側マウント部の電気接点保持構造や電気部品のコネクタなどにも適用することができる。
【００３５】
【発明の効果】
以上詳しく説明したように、請求項１記載の発明によれば、電気接点部材を保持する保持部がマウント部に形成されており、このマウント部の内側には、電気接点部材を導入可能な導入部と、この導入部から導入された電気接点部材を保持部へ案内する案内部が形成されているので、部品点数を増やすことなく電気接点部材をマウント部に設けることができ、コストの削減を図ることができる。
【００３６】
請求項２記載の発明によれば、マウント部に本体を係合するときに、電気接点部材を導入口へ押し出す押出部を設けたので、電気接点部材をスムーズに保持部に組み込むことができ、組立工程の削減、組立作業の効率化及びコストの削減を図ることができる。
【００３７】
請求項３記載の発明によれば、押出部が支持部を備えているので、この支持部により電気接点部材を保持部に確実に固定することができる。
【００３８】
請求項４記載の発明によれば、マウント部を本体に係合する動作により、保持部により電気接点部材が保持されるので、電気接点部材をスムーズに保持部に組み込むことができ、組立工程の削減、組立作業の効率化及びコストの削減を図ることができる。
【００３９】
請求項５記載の発明によれば、マウント部と本体とが係合したときに、支持部により電気接点部材を保持部に確実に固定することができる。
【図面の簡単な説明】
【図１】本発明の実施形態に係るマウント部の電気接点保持構造を備えたレンズ鏡筒の断面図である。
【図２】同レンズ鏡筒のマウント部の平面図である。
【図３】本発明の実施形態に係るマウント部の電気接点保持構造に電気接点部材を取り付けるときの取付方法を説明する図である。
【図４】従来のマウント部の電気接点保持構造の電気接点回りの外観図である。
【図５】従来のマウント部の電気接点保持構造の電気接点回りの断面図である。
【符号の説明】
１  マウント部
１ｃ  保持穴
１ｅ  傾斜面
１ｆ  空間部
２  固定筒
３  ズーム目盛環
２ｄ  押出部
２ｅ  支持部
９  カム筒
２１  接点ピン
２２  電気接点部材
２２ａ  上側ハウジング部材
２２ｂ  下側受け部材
２５  フレキシブルプリント基板
【図１】
0003707149.tif 000002
【図２】
0003707149.tif 000003
【図３】
0003707149.tif 000004
【図４】
0003707149.tif 000005
【図５】
0003707149.tif 000006